(57)【要約】【課題】信頼度が向上した表示装置を提供すること。【解決手段】表示装置は、表示領域、及び前記表示領域の周辺のパッド領域が定義され、前記パッド領域に位置するパッド部を含む表示パネルと、前記パッド部と電気的に接続されたプリント基板と、及び前記パッド部と前記プリント基板との間に位置する異方性導電フィルムと、を含み、前記パッド部は、Ｙ軸と０°よりも大きい第１角度をなす側辺を有する第１パッドを含み、前記異方性導電フィルムは、複数の導電粒子を含み、前記導電粒子は、平面上で、第１対角線の長さが第２対角線の長さよりも短い仮想の四角形の各頂点に位置し、前記第２対角線は、前記Ｙ軸と０°よりも大きい第２角度をなし、前記第１角度及び前記第２角度は鋭角であり、前記第１角度は前記第２角度よりも大きい。【選択図】図１
2019185030.tif 000002
【特許請求の範囲】
【請求項１】
表示領域、及び前記表示領域の周辺のパッド領域が定義され、前記パッド領域に位置するパッド部を含む表示パネルと、前記パッド部と電気的に接続されたプリント基板と、
前記パッド部と前記プリント基板との間に位置する異方性導電フィルムと、を含み、
前記パッド部は、Ｙ軸と０°よりも大きい第１角度をなす側辺を有する第１パッドを含み、
前記異方性導電フィルムは、複数の導電粒子を含み、
前記導電粒子は、平面上で、第１対角線の長さが第２対角線の長さよりも短い仮想の四角形の各頂点に位置し、
前記第２対角線は、前記Ｙ軸と０°よりも大きい第２角度をなし、
前記第１角度及び前記第２角度は鋭角であり、
前記第１角度は前記第２角度よりも大きい、表示装置。
【請求項２】
前記第１角度は５°より大きく２０°以下であり、
前記第２角度は１５°以下である、請求項１に記載の表示装置。
【請求項３】
前記仮想の四角形は前記第１パッドの側辺と平行な辺を含まない、請求項２に記載の表示装置。
【請求項４】
前記仮想の四角形は菱形であり、
前記菱形の一辺の長さは前記第１対角線の長さと実質的に同一である、請求項２に記載の表示装置。
【請求項５】
前記第１角度と前記第２角度との合計は３０°未満である、請求項４に記載の表示装置。
【請求項６】
前記第１パッドは、高さが底辺よりも大きい平行四辺形の形状からなり、
前記第１パッドの底辺は前記Ｙ軸に対して垂直なＸ軸と並んでおり、第１パッドの高さは前記Ｙ軸と並んでいる、請求項１に記載の表示装置。
【請求項７】
前記第１パッドは、前記Ｙ軸に対して垂直なＸ軸と実質的に並んで複数個が配置され、
前記第１角度は、前記Ｘ軸の延長方向に沿って前記表示パネルの縁部に隣接するほど増加する、請求項１に記載の表示装置。
【請求項８】
前記パッド部は、前記Ｙ軸となす鋭角が第３角度である側辺を有する第２パッドをさらに含み、
前記第２パッドは、前記Ｙ軸を基準に前記第１パッドと対称である、請求項１に記載の表示装置。
【請求項９】
前記第２パッドは、前記Ｙ軸に対して垂直なＸ軸と実質的に並んで複数個が配置され、
前記第３角度は、前記Ｘ軸の延長方向に沿って前記表示パネルの縁部に隣接するほど増加する、請求項８に記載の表示装置。
【請求項１０】
前記パッド部は、前記第１パッドと前記第２パッドとの間に位置し、前記Ｙ軸と実質的に並んでいる側辺を有する基準パッドをさらに含む、請求項８に記載の表示装置。
【請求項１１】
前記表示パネルは、
前記表示領域に位置し、前記Ｙ軸に沿って延びたデータ線と、前記データ線に接続されたトランジスタと、前記トランジスタに接続された有機発光素子とを含み、
前記第１パッドは前記データ線と電気的に接続された、請求項１に記載の表示装置。
【請求項１２】
前記プリント基板は、
前記第１パッドと重畳し、前記複数の導電粒子を介して前記第１パッドと電気的に接続された接続電極を含む、請求項１に記載の表示装置。
【請求項１３】
前記接続電極は、前記Ｙ軸と前記第１角度とをなす側辺を含む、請求項１２に記載の表示装置。
【請求項１４】
前記接続電極は、高さが底辺よりも大きい平行四辺形の形状からなり、
前記接続電極の底辺は前記Ｙ軸に対して垂直なＸ軸と並んでおり、前記接続電極の高さは前記Ｙ軸と並んでいる、請求項１３に記載の表示装置。
【請求項１５】
前記第１パッドはパッド凹部を含み、
前記接続電極は前記パッド凹部と重畳する電極凹部を含み、
前記パッド凹部と前記電極凹部との間には前記導電粒子が位置する、請求項１３に記載の表示装置。
【請求項１６】
前記プリント基板はフレキシブルプリント基板である、請求項１に記載の表示装置。
【請求項１７】
表示領域及び前記表示領域の周辺のパッド領域が定義され、前記パッド領域に位置するパッドを含む表示基板と、
前記パッドに電気的に接続されたプリント基板と、を含み、
前記パッドは、
Ｙ軸と０°よりも大きい第１角度をなす側辺、及び複数のパッド凹部を含み、
前記複数のパッド凹部のうちの一部は、平面上で、第１対角線の長さが第２対角線の長さよりも短い仮想の四角形の各頂点に位置し、
前記第２対角線は、前記Ｙ軸と０°よりも大きい第２角度をなし、
前記第１角度と前記第２角度は鋭角であり、
前記第１角度は前記第２角度よりも大きい、表示装置。
【請求項１８】
前記第１角度は５°より大きく２０°以下であり、
前記第２角度は０°より大きく１５°未満である、請求項１７に記載の表示装置。
【請求項１９】
前記パッドと前記プリント基板との間に位置し、前記プリント基板と前記パッドとを電気的に接続する複数の導電粒子を含む異方性導電フィルムをさらに含み、
前記パッド凹部は前記導電粒子と重畳する、請求項１７に記載の表示装置。
【請求項２０】
前記プリント基板は、前記パッドと重畳し、前記異方性導電フィルムを介して前記パッドと電気的に接続された接続電極を含み、
前記接続電極は、前記パッド凹部と重畳する電極凹部を含み、
前記パッド凹部と前記電極凹部との間には前記導電粒子が位置する、請求項１９に記載の表示装置。
【発明の詳細な説明】
【技術分野】
【０００１】
本発明は、表示装置に関する。
【背景技術】
【０００２】
表示装置とは、映像信号を表示する装置を意味する。このような表示装置は、テレビ、コンピュータモニタ、ＰＤＡ、及び最近爆発的に需要が増加したスマート機器などを含み、外部から入力される映像信号を表示するすべての装置を含む。
【０００３】
表示装置は、表示パネル、及び表示装置を駆動するためのプリント基板を含むことができ、プリント基板と表示パネルは、異方性導電フィルム（Ａｎｉｓｏｔｒｏｐｉｃ  Ｃｏｎｄｕｃｔｉｖｅ  Ｆｉｌｍ、ＡＣＦ）などを介して互いに電気的に接続できる。
【０００４】
異方性導電フィルムは、樹脂などの絶縁層に導電粒子（ｃｏｎｄｕｃｔｉｖｅ  ｐａｒｔｉｃｌｅｓ）が配列されているフィルムであって、異方性導電フィルムの厚さ方向には導電性を帯び、異方性導電フィルムの面方向には絶縁性を帯びる。そして、プリント基板の表示パネルは、導電粒子によって互いに通電する。
【発明の概要】
【発明が解決しようとする課題】
【０００５】
導電粒子が互いに近くに位置する場合、導電粒子同士の間にショートが発生する可能性がある。また、場合によっては、導電粒子が互いに遠くに位置する場合には、表示パネルとプリント基板とが電気的に接続されない可能性も存在する。すなわち、異方性導電フィルムの導電粒子は、表示装置の信頼度に影響を及ぼすことができる。
【０００６】
本発明が解決しようとする課題は、信頼度が向上した表示装置を提供することにある。
【０００７】
本発明の課題は上述した技術的課題に制限されず、上述していない別の技術的課題は以降の記載から当業者に明確に理解できるだろう。
【課題を解決するための手段】
【０００８】
上記の課題を解決するための一実施形態に係る表示装置は、表示領域、及び前記表示領域の周辺のパッド領域が定義され、前記パッド領域に位置するパッド部を含む表示パネルと、前記パッド部と電気的に接続されたプリント基板と、及び前記パッド部と前記プリント基板との間に位置する異方性導電フィルムとを含み、前記パッド部は、Ｙ軸と０°よりも大きい第１角度をなす側辺を有する第１パッドを含み、前記異方性導電フィルムは、複数の導電粒子を含み、前記導電粒子は、平面上で、第１対角線の長さが第２対角線の長さよりも短い仮想の四角形の各頂点に位置し、前記第２対角線は、前記Ｙ軸と０°よりも大きい第２角度をなし、前記第１角度及び前記第２角度は鋭角であり、前記第１角度は前記第２角度よりも大きい。
【０００９】
上記の課題を解決するための他の実施形態に係る表示装置は、表示領域、及び前記表示領域の周辺のパッド領域が定義され、前記パッド領域に位置するパッドを含む表示基板と、及び前記パッドと電気的に接続されたプリント基板と、を含み、前記パッドは、Ｙ軸と０°よりも大きい第１角度をなす側辺及び複数のパッド凹部を含み、前記複数のパッド凹部のうちの一部は、平面上で、第１対角線の長さが第２対角線の長さよりも短い仮想の四角形の各頂点に位置し、前記第２対角線は、前記Ｙ軸と０°よりも大きい第２角度をなし、前記第１角度及び前記第２角度は鋭角であり、前記第１角度は前記第２角度よりも大きい。
【００１０】
その他の実施形態の具体的な事項は、詳細な説明及び図面に含まれている。
【発明の効果】
【００１１】
本発明の実施形態によれば、信頼度が向上した表示装置を提供することができる。
【００１２】
本発明による効果は以上で例示された内容によって制限されず、さらに様々な効果が本明細書中に含まれている。
【図面の簡単な説明】
【００１３】
【図１】一実施形態に係る表示装置における表示パネルとプリント基板とのボンディング過程を示す平面図である。
【図２】一実施形態に係る表示装置における表示パネルとプリント基板とのボンディング過程を示す平面図である。
【図３】図１のＱ１部分を拡大して示す平面図である。
【図４】図１のＱ２部分を拡大して示す平面図である。
【図５】表示パネルとプリント基板とが接続した状態で図２乃至図４のＡ１−Ａ１’に沿って切断した表示装置の概略断面図である。
【図６】図２に示された異方性導電フィルムの一部分の平面図である。
【図７】図６に示された四角形の部分を拡大して示す平面図である。
【図８】一実施形態に係る表示装置における異方性導電フィルムの導電粒子と第１パッドを一緒に示す平面図である。
【図９】比較例１による表示装置における異方性導電フィルムの導電粒子と第１パッドを一緒に示す平面図である。
【図１０】比較例２による表示装置における異方性導電フィルムの導電粒子と第１パッドを一緒に示す平面図である。
【図１１】図８の第１特定パッドを示す平面図である。
【図１２】図８の第１特定パッドと対応する第１特定接続電極を示す平面図である。
【図１３】図１に示された一画素の例示的な等価回路図である。
【図１４】図１３に示された等価回路図を有する画素の例示的平面図である。
【図１５】図１４のＡ２−Ａ２’線に沿った断面図である。
【図１６】他の実施形態に係る表示装置における表示パネルとプリント基板とのボンディング過程を示す平面図である。
【図１７】他の実施形態に係る表示装置における表示パネルとプリント基板とのボンディング過程を示す平面図である。
【発明を実施するための形態】
【００１４】
本発明の利点、特徴、及びそれらを達成する方法は、添付図面と共に詳細に後述されている実施形態を参照すると明確になるだろう。しかし、本発明は、以下で開示する実施形態に限定されるものではなく、他の形態でも実現できる。すなわち、本発明は、請求項の範疇によってのみ定められる。
【００１５】
素子（ｅｌｅｍｅｎｔｓ）または層が他の素子または層の「上（ｏｎ）」にあると記載された場合は、他の素子または層の真上に存在する場合またはそれらの間に別の層または別の素子が介在している場合を全て含む。反面、素子が「直接上（ｄｉｒｅｃｔｌｙ  ｏｎ）または「真上」にあると記載された場合は、中間に他の素子または層を介在しないことを示す。
【００１６】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図示されているように、一つの素子または構成要素と他の素子または構成要素との相関関係を容易に記述するために使用できる。空間的に相対的な用語は、図示されている方向に加えて、使用時または動作時の素子の互いに異なる方向を含む用語として理解されるべきである。例えば、図示されている素子を覆す場合、他の素子の「下（ｂｅｌｏｗまたはｂｅｎｅａｔｈ）」と記述された素子は、他の素子の「上（ａｂｏｖｅ）」に配置され得る。したがって、例示的な用語である「下」は、下と上の方向をすべて含むことができる。素子は他の方向にも配向でき、この場合、空間的に相対的な用語は配向に応じて解釈できる。
【００１７】
例えば、「第１」、「第２」などの用語は様々な構成要素を叙述するために使用されるが、これらの構成要素はこれらの用語によって限定されない。これらの用語は、単に一つの構成要素を他の構成要素と区別するために使用するものである。よって、以下で言及される第１構成要素は本発明の技術的思想内で第２構成要素であることもある。
【００１８】
単数の表現は、文脈上明白に異なる意味ではない限り、複数の表現を含む。本明細書において、「含む」または「有する」などの用語は、特に反対される記載がない限り、他の構成要素を除くのではなく、他の構成をさらに含むことができることを意味する。
【００１９】
明細書全体にわたって、同一または類似の部分については同一の図面符号を使用する。
【００２０】
以下、図面を参照して、本発明の実施形態について説明する。
【００２１】
図１及び図２は一実施形態に係る表示装置における表示パネルとプリント基板とのボンディング過程を示す平面図である。
【００２２】
図１を参照すると、表示装置１は、表示パネル１００及びプリント基板２１０を含み、データ駆動回路ＩＣをさらに含むことができる。
【００２３】
表示パネル１００は、平面視長方形の形状からなることができる。表示パネル１００は、Ｘ軸に沿った方向に延びた両短辺と、Ｘ軸と垂直に交差するＹ軸に沿った方向に延びた両長辺とを含むことができる。表示パネル１００の長辺と短辺とが交差する角は直角であり得るが、図１に示されているのとは異なり、曲面を成すことができる。表示パネル１００の平面形状は、例示に限定されず、円形またはその他の形状に適用されてもよい。
【００２４】
映像の表示有無で区分するとき、表示パネル１００は、映像を表示する表示領域ＤＡと、映像が表示されない非表示領域ＮＡとを含むことができる。幾つかの実施形態において、非表示領域ＮＡは表示領域ＤＡの周辺に位置することができる。
【００２５】
表示パネル１００の非表示領域ＮＡのうちの一部は、プリント基板２１０と接続するパッド領域ＭＡであり得る。幾つかの実施形態において、パッド領域ＭＡは、非表示領域ＮＡにおける、表示パネル１００の下側に位置することができる。
【００２６】
積層構造で区分するとき、表示パネル１００は、ベース基板１１０、表示素子層ＤＳＬ及びパッド部ＰＤＡを含むことができる。
【００２７】
ベース基板１１０は、ガラス、石英、高分子樹脂などの絶縁物質からなることができる。前記高分子物質の例としては、ポリエーテルスルホン（ｐｏｌｙｅｔｈｅｒｓｕｌｐｈｏｎｅ：ＰＥＳ）、ポリアクリレート（ｐｏｌｙａｃｒｙｌａｔｅ：ＰＡ）、ポリアリレート（ｐｏｌｙａｒｙｌａｔｅ：ＰＡＲ）、ポリエーテルイミド（ｐｏｌｙｅｔｈｅｒｉｍｉｄｅ：ＰＥＩ）、ポリエチレンナフタレート（ｐｏｌｙｅｔｈｙｌｅｎｅｎａｐｔｈａｌａｔｅ：ＰＥＮ）、ポリエチレンテレフタレート（ｐｏｌｙｅｔｈｙｌｅｎｅｔｅｒｅｐｔｈａｌａｔｅ：ＰＥＴ）、ポリフェニレンスルフィド（ｐｏｌｙｐｈｅｎｙｌｅｎｅｓｕｌｆｉｄｅ：ＰＰＳ）、ポリアリレート（ｐｏｌｙａｌｌｙｌａｔｅ）、ポリイミド（ｐｏｌｙｉｍｉｄｅ：ＰＩ）、ポリカーボネート（ｐｏｌｙｃａｒｂｏｎａｔｅ：ＰＣ）、セルローストリアセテート（ｃｅｌｌｕｌｏｓｅｔｒｉａｃｅｔａｔｅ：ＣＡＴ）、セルロースアセテートプロピオネート（ｃｅｌｌｕｌｏｓｅ  ａｃｅｔａｔｅ  ｐｒｏｐｉｏｎａｔｅ：ＣＡＰ）、またはこれらの組み合わせを挙げることができる。ベース基板１１０は金属材質の物質を含むこともできる。
【００２８】
ベース基板１１０は、リジッド（ｒｉｇｉｄ）基板であるか、或いは曲げ（ｂｅｎｄｉｎｇ）、折り畳み（ｆｏｌｄｉｎｇ）、ローリング（ｒｏｌｌｉｎｇ）などが可能なフレキシブル（ｆｌｅｘｉｂｌｅ）基板であり得る。フレキシブル基板をなす物質の例として、ポリイミドＰＩが挙げられるが、これらに限定されるものではない。
【００２９】
表示領域ＤＡにおけるベース基板１１０上には、表示素子層ＤＳＬが位置することができる。表示素子層ＤＳＬは、複数の画素ＰＸを含むことができ、各画素ＰＸは、映像を表示するための素子を含むことができる。幾つかの実施形態において、各画素ＰＸは有機発光素子を含むことができる。
【００３０】
非表示領域ＮＡ中の、パッド領域ＭＡにおけるベース基板１１０上には、パッド部ＰＤＡが位置することができる。パッド部ＰＤＡは、プリント基板２１０から供給される信号を受信するための複数のパッドＰＤを含むことができる。
【００３１】
画素ＰＸにデータ信号を供給するデータ駆動回路（図示せず）が表示パネル１００にチップタイプで実装される場合には、パッドＰＤは、前記データ駆動回路に表示データ及び制御信号を供給するためのパッドであり得る。前記データ駆動回路が前記プリント基板２１０側にチップタイプで実装される場合には、パッドＰＤは、画素ＰＸにデータ信号を供給するデータラインに電気的に接続されるデータパッドと、前記データ駆動回路に制御信号を供給する制御信号配線と電気的に接続される制御信号パッドとを含むことができる。
【００３２】
幾つかの実施形態において、プリント基板２１０は、柔軟性を有するフレキシブルプリント基板であり得る。幾つかの実施形態において、図１に示されているように、プリント基板２１０の背面、すなわち、表示パネル１００と向かい合う面には、パッド部ＰＤＡと対応する接続電極部ＣＮＡが位置することができ、接続電極部ＣＡＮは、パッドＰＤと一対一で対応して電気的に接続されるための複数の接続電極ＣＮを含むことができる。
【００３３】
例示的に、図１では、チップタイプのデータ駆動回路ＩＣが、柔軟性を有するプリント基板２１０に実装されるチップオンフィルム（Ｃｈｉｐ  Ｏｎ  Ｆｉｌｍ）構造を示している。
【００３４】
図２を参照すると、プリント基板２１０は、表示パネル１００のパッド領域ＭＡに接続する。表示パネル１００とプリント基板２１０との間には異方性導電フィルム３００が配置でき、異方性導電フィルム３００を介して表示パネル１００とプリント基板２１０とは物理的／電気的に接続できる。
【００３５】
異方性導電フィルム３００は、回路接続に使用される接着フィルムであって、一方向（例えば、厚さ方向）には導電性を有するが、他の方向（例えば、面方向）には絶縁性を有する異方性がある。異方性導電フィルム３００は、接着性を有する絶縁層（例えば、熱硬化性絶縁層）と、その中に位置する複数の導電粒子とを含む。
【００３６】
プリント基板２１０の接続電極ＣＮと表示パネル１００のパッドＰＤとが互いに向かい合うように整列配置されると、異方性導電フィルム３００は、プリント基板２１０と表示パネル１００との間に介在する。その後、ツール（ｔｏｏｌ）によって表示パネル１００のパッド領域ＭＡに熱及び圧力が加わると、異方性導電フィルム３００の導電粒子が接続電極ＣＮ及びパッドＰＤと接触し、これによりプリント基板２１０と表示パネル１００とは互いに電気的に接続される。また、異方性導電フィルム３００の絶縁層が硬化されると、プリント基板２１０は表示パネル１００に取り付けられる。
【００３７】
図３は図１のＱ１部分を拡大して示す平面図であり、より具体的には、表示パネルに備えられたパッドの形態を示す図である。
【００３８】
図１および図３を参照すると、表示パネル１００のパッド領域ＭＡには、Ｙ軸と平行な中心線ＲＬを基準として、左側に第１パッド群ＰＧ１が備えられ、右側には第２パッド群ＰＧ２が備えられ得る。本発明の一実施形態では、説明の便宜のために、表示パネル１００に二つのパッド群、すなわち、第１パッド群ＰＧ１及び第２パッド群ＰＧ２が備えられた構造を一例として示している。また、表示パネル１００上には複数の中心線ＲＬが備えられ、各中心線ＲＬに同じ形態でパッド群が配置され得るる。ただし、説明の便宜のために、以下の図面では一つの中心線ＲＬを示す。
【００３９】
第１パッド群ＰＧ１は、中心線ＲＬと鋭角を成す線に沿って延びた複数のパッドを含むことができる。
【００４０】
例示的に、第１パッド群ＰＧ１は、第１線Ｌ１１に沿って延びた第１パッドＰＤ１１、第２線Ｌ１２に沿って延びた第２パッドＰＤ１２、及び第３線Ｌ１３に沿って延びた第３パッドＰＤ１３を含むことができる。幾つかの実施形態において、第１線Ｌ１１、第２線Ｌ１２及び第３線Ｌ１３は、中心線ＲＬと共に同一の基準点Ｃに収束することができ、第１線Ｌ１１、第２線Ｌ１２及び第３線Ｌ１３は、Ｘ軸とＹ軸とがなす平面上で図のように定義された場合、正の傾きを持つことができる。第１線Ｌ１１と中心線ＲＬとがなす鋭角は第１角度ａ１１であり、第２線Ｌ１２と中心線ＲＬとがなす鋭角は第２角度ａ１２であり、第３線Ｌ１３と中心線ＲＬとがなす鋭角は第３角度ａ１３であり得る。第１角度ａ１１、第２角度ａ１２及び第３角度ａ１３は０°よりも大きくてもよい。
【００４１】
第１パッドＰＤ１１、第２パッドＰＤ１２及び第３パッドＰＤ１３は、Ｘ軸と実質的に並んで配置されてもよく、順次配置されてもよい。
【００４２】
第１パッドＰＤ１１、第２パッドＰＤ１２及び第３パッドＰＤ１３は、それぞれ平行四辺形からなることができ、平行四辺形の底辺はＸ軸と並んでおり、平行四辺形の高さはＹ軸と並んでいることができる。第１パッドＰＤ１１、第２パッドＰＤ１２及び第３パッドＰＤ１３は、それぞれ高さが底辺よりも大きい平行四辺形からなることができる。例示的に、第２パッドＰＤ１２を第１特定パッドとすると、第１パッドＰＤ１２の高さＨは、第１パッドＰＤ１２の底辺の幅Ｗよりも大きくてもよい。すなわち、第１パッドＰＤ１１、第２パッドＰＤ１２及び第３パッドＰＤ１３は、Ｙ軸方向に細長い平行四辺形からなることができる。以下では、第２パッドＰＤ１２という用語と、第１特定パッドという用語とを混用する。
【００４３】
第１パッドＰＤ１１、第２パッドＰＤ１２及び第３パッドＰＤ１３は、それぞれＹ軸に対して斜めに傾いた形状からなることができ、それぞれＹ軸と０°よりも大きい鋭角をなす側辺を含むことができる。
【００４４】
例示的に、第１特定パッドＰＤ１２の側辺Ｅ１２は、Ｙ軸、またはＹ軸と平行な中心線ＲＬと０°よりも大きい鋭角をなすことができる。また、第１特定パッドＰＤ１２の側辺Ｅ１２は、第２線Ｌ１２と平行であり得る。したがって、第１特定パッドＰＤ１２の側辺Ｅ１２とＹ軸とがなす鋭角は、第２線Ｌ１２と中心線ＲＬとがなす第２角度ａ１２と実質的に同一であり得る。
【００４５】
同様に、第１パッドＰＤ１１の側辺とＹ軸とがなす鋭角は第１角度ａ１１であり、第３パッドＰＤ１３の側辺とＹ軸とがなす鋭角は第３角度ａ１３であり得る。
【００４６】
幾つかの実施形態において、第１角度ａ１１、第２角度ａ１２及び第３角度ａ１３は、それぞれ０°より大きく２０°以下の範囲内の角度を持つことができる。また、幾つかの実施形態において、第１パッドＰＤ１２の第２角度ａ１２は５°より大きく２０°以下であり得る。すなわち、第１パッドＰＤ１２は、第１パッド群ＰＧ１内に位置するパッドのうち、側辺とＹ軸とがなす鋭角が５°より大きく２０°以下であるパッドとして定義できる。後述するように、第１パッドＰＤ１２の第２角度ａ１２が５°以上の場合、通電信頼性を向上させるために導電粒子３３０の配列を第１パッドＰＤ１２の第２角度ａ１２を考慮して決定する必要性が高くなる。第１パッドＰＤ１２の第２角度ａ１２の上限は、表示装置１の構造に応じて適宜選択でき、例示的に、第２角度ａ１２は２０°以下であり得る。
【００４７】
中心線ＲＬからＸ軸に沿って表示パネル１００の縁部に近づくほど、各パッドの側辺とＹ軸とがなす鋭角は増加することができる。
【００４８】
例示的に、第１パッドＰＤ１１、第２パッドＰＤ１２及び第３パッドＰＤ１３のうち、第３パッドＰＤ１３は、Ｘ軸の延長方向に沿って相対的に表示パネル１００の縁部に最も近づき、第１パッドＰＤ１１は、中心線ＲＬに最も近づく。そして、第２パッドＰＤ１２は、第１パッドＰＤ１１と第３パッドＰＤ１３との間に位置する。このような場合、第１パッドＰＤ１１の側辺とＹ軸とがなす第１角度ａ１１は、第２パッドＰＤ１２の側辺とＹ軸とがなす第２角度ａ１２よりも小さく、第３パッドＰＤ１３の側辺とＹ軸とがなす第３角度ａ１３は、第２角度ａ１２よりも大きくてもよい。
【００４９】
第２パッド群ＰＧ２は第４パッドＰＤ２１、第５パッドＰＤ２２及び第６パッドＰＤ２３を含むことができる。第４パッドＰＤ２１は、中心線ＲＬを基準として、第１線Ｌ１１と対称である第４線Ｌ２１に沿って延び、第５パッドＰＤ２２は、中心線ＲＬを基準として、第２線Ｌ１２と対称である第５線Ｌ２２に沿って延び、第６パッドＰＤ２３は、中心線ＲＬを基準として、第３線Ｌ１３と対称である第６線Ｌ２３に沿って延びることができる。幾つかの実施形態において、第４線Ｌ２１、第５線Ｌ２２及び第６線Ｌ２３は、第１線Ｌ１１、第２線Ｌ１２及び第３線Ｌ１３と同様に、中心線ＲＬと共に同一の基準点Ｃに収束することができ、第４線Ｌ２１、第５線Ｌ２２及び第６線Ｌ２３は、Ｘ軸とＹ軸とがなす平面上で負の傾きを持つことができる。
【００５０】
中心線ＲＬと第４線Ｌ２１とがなす鋭角は第５角度ａ２１であり、第５角度ａ２１は、第１角度ａ１１と同一であり得る。同様に、中心線ＲＬと第５線Ｌ２２とがなす鋭角である第６角度ａ２２は、第２角度ａ１２と同一であり、中心線ＲＬと第６線Ｌ２３とがなす鋭角である第６角度ａ２３は、第３角度ａ１３と同一であり得る。
【００５１】
第４パッドＰＤ２１、第５パッドＰＤ２２及び第６パッドＰＤ２３は、それぞれＹ軸、またはＹ軸と平行な中心線ＲＬを基準として、第１パッドＰＤ１１、第２パッドＰＤ１２及び第３パッドＰＤ１３と対称的な形状からなることができる。したがって、第４パッドＰＤ２１、第５パッドＰＤ２２及び第６パッドＰＤ２３それぞれの側辺とＹ軸とがなす鋭角は、Ｘ軸方向に沿って表示パネル１００の縁部に近づくほど増加することができる。
【００５２】
幾つかの実施形態において、表示パネル１００は、中心線ＲＬと並んだ側辺ＥＣを有する基準パッドＰＤＣをさらに含むことができる。基準パッドＰＤＣは、第１パッド群ＰＧ１と第２パッド群ＰＧ２との間に位置することができ、Ｙ軸と平行な中心線ＲＬは、基準パッドＰＤＣを貫通することができる。
【００５３】
図４は図１のＱ２部分を拡大して示す平面図である。
【００５４】
図１及び図４を参照すると、プリント基板２１０の背面（すなわち、表示パネル１００と向かい合う面）に位置する接続電極部ＣＮＡは、Ｙ軸と平行な中心線ＲＬを基準として、左側に第１電極群ＣＮＧ１が備えられ、右側には第２電極群ＣＮＧ２が備えられ得る。
【００５５】
第１電極群ＣＮＧ１は、第１パッドＰＤ１１と対応する構造を持つ第１接続電極ＣＮ１１、第２パッドＰＤ１２と対応する構造を持つ第２接続電極ＣＮ１２、及び第３パッドＰＤ１３と対応する構造を持つ第３接続電極ＣＮ１３を含むことができる。第１接続電極ＣＮ１１、第２接続電極ＣＮ１２及び第３接続電極ＣＮ１３は、第１パッドＰＤ１１、第２パッドＰＤ１２及び第３パッドＰＤ１３と同様に、高さが底辺よりも大きい平行四辺形の形状からなることができる。
【００５６】
例示的に、第１パッドＰＤ１２と対応する第２接続電極ＣＮ１２を第１特定接続電極とすると、第１接続電極ＣＮ１２の高さＨａは、第１接続電極ＣＮ１２の底辺の幅Ｗａよりも大きくてもよい。幾つかの実施形態において、第１接続電極ＣＮ１２の高さＨａは、第１パッドＰＤ１２の高さＨと実質的に同一であり、第１接続電極ＣＮ１２の底辺の幅Ｗａは、第１パッドＰＤ１２の底辺の幅ｗと実質的に同一であり得るが、これに限定されるものではない。
【００５７】
第１接続電極ＣＮ１１は、第１パッドＰＤ１１と対応する構造を持ち、第２接続電極ＣＮ１２は、第２パッドＰＤ１２と対応する構造を持ち、第３接続電極ＣＮ１３は、第３パッドＰＤ１３と対応する構造を持つことができる。したがって、幾つかの実施形態において、第１パッドＰＤ１２と対応する第１接続電極ＣＮ１２の側辺Ｅ１２ａとＹ軸とがなす鋭角は、第１パッドＰＤ１２の側辺Ｅ１２とＹ軸とがなす鋭角と同一の第２角度ａ１２であり得る。
【００５８】
第２電極群ＣＮＧ２は、第４パッドＰＤ２１と対応する構造を持つ第４接続電極ＣＮ２１、第５パッドＰＤ２２と対応する構造を持つ第５接続電極ＣＮ２２、及び第６パッドＰＤ２３と対応する構造を持つ第６接続電極ＣＮ２３を含むことができる。
【００５９】
その他、プリント基板２１０の各接続電極についての説明は、表示パネル１００の各パッドについての説明と実質的に同一または類似であるので省略する。
【００６０】
幾つかの実施形態において、プリント基板２１０の接続電極部ＣＮＡは、基準パッドＰＤＣと対応する基準電極ＣＮＣをさらに含むことができる。基準電極ＣＮＣは第１電極群ＣＮＧ１と第２電極群ＣＮＧ２との間に位置することができ、Ｙ軸と平行な中心線ＲＬは基準電極ＣＮＣを貫通することができる。そして、基準電極ＣＮＣの側辺ＥＣａはＹ軸または中心線ＲＬと平行であり得る。
【００６１】
一実施形態に係る表示装置１は、表示パネル１００のパッドとプリント基板２１０の接続電極がＹ軸に対して斜めに配置される。これにより、表示パネル１００とプリント基板２１０間のアラインメントマージンを確保することができるという利点を持つ。
【００６２】
図５は表示パネルとプリント基板とが接続した状態で図２乃至図４のＡ１−Ａ１’に沿って切断した表示装置の概略断面図である。
【００６３】
図５を参照すると、第１パッドＰＤ１２と第１接続電極ＣＮ１２との間には異方性導電フィルム３００が位置する。
【００６４】
異方性導電フィルム３００は、上述したように、絶縁層３１０、及び絶縁層３１０内に位置する複数の導電粒子３３０を含む。導電粒子３３０中の一部は、第１パッドＰＤ１２と第１接続電極ＣＮ１２との間に位置して第１パッドＰＤ１２及び第１接続電極ＣＮ１２と接触し、これにより、第１パッドＰＤ１２第１パッドＰＤ１２と第１接続電極ＣＮ１２とは電気的に接続される。幾つかの実施形態において、第１パッドＰＤ１２と第１接続電極ＣＮ１２との間には導電粒子３３０が複数個位置することができる。
【００６５】
表示パネル１００とプリント基板２１０との接続過程で、異方性導電フィルム３００には、熱だけでなく、圧力も加えられる。これにより、第１パッドＰＤ１２には、導電粒子３３０によって押圧された跡、すなわち、複数のパッド凹部ＰＣＶが形成される。同様に、第１接続電極ＣＮ１２には、導電粒子３３０によって押圧された跡、すなわち複数の電極凹部ＣＣＶが形成される。
【００６６】
電極凹部ＣＣＶとパッド凹部ＰＣＶは、第１パッドＰＤ１２と第１接続電極ＣＮ１２との間に位置する導電粒子３３０と対応する位置に形成される。つまり、パッド凹部ＰＣＶと電極凹部ＣＣＶは、互いに対応する位置に形成でき、互いに重畳することができる。そして、パッド凹部ＰＣＶと電極凹部ＣＣＶとの間には導電粒子３３０が位置することができる。そして、第１パッドＰＤ１２と第１接続電極ＣＮ１２との間に位置する導電粒子３３０は、パッド凹部ＰＣＶ及び電極凹部ＣＣＶと同時に重畳することができる。
【００６７】
導電粒子３３０が特定の規則性を持つように配列される場合、第１パッドＰＤ１２に形成されたパッド凹部ＰＣＶも、導電粒子３３０と実質的に同一の配列を持つように配置でき、第１接続電極ＣＮ１２に形成された電極凹部ＣＣＶも、導電粒子３３０と実質的に同一の配列を持つように配置できる。
【００６８】
図６は図２に示された異方性導電フィルムの一部分を示す平面図、図７は図６に示された四角形の部分を拡大して示す平面図、図８は一実施形態に係る表示装置における異方性導電フィルムの導電粒子と第１パッドとを一緒に示す平面図、図９は比較例１による表示装置における異方性導電フィルムの導電粒子と第１パッドとを一緒に示す平面図、図１０は比較例２による表示装置における異方性導電フィルムの導電粒子と第１パッドとを一緒に示す平面図である。
【００６９】
図６乃至図１０を参照すると、図６及び図７に示すように、表示装置１に含まれている異方性導電フィルム３００の複数の導電粒子３３０は、一定の規則性を持つように配列される。例示的に、導電粒子３３０は、第１対角線ＳＬの長さが第２対角線ＬＬの長さよりも短い仮想の四角形ＤＭの各頂点に位置することができる。
【００７０】
幾つかの実施形態において、仮想の四角形ＤＭは、第１辺Ｓ１、第２辺Ｓ２、第３辺Ｓ３及び第４辺Ｓ４の長さが一定の値ｒを有する四角形、例えば菱形であり得る。仮想の四角形ＤＭが菱形である場合、仮想の四角形ＤＭの第１対角線ＳＬと第２対角線ＬＬとは、互いに垂直に交差することができる。
【００７１】
幾つかの実施形態において、仮想の四角形ＤＭは菱形からなるが、二つの正三角形を組み合わせた形状、例えば、第１対角線ＳＬの長さが第１辺Ｓ１、第２辺Ｓ２、第３辺Ｓ３及び第４辺Ｓ４の長さと同じ値ｒを有する菱形であり得る。したがって、最も隣接する導電粒子３３０間の間隔は一定であり得る。
【００７２】
導電粒子３３０間の間隔が狭く配置される場合には、互いに隣接する導電粒子３３０同士の間でショートが発生すおそれがある。また、導電粒子３３０間の間隔が広く配置される場合、表示パネル１００のパッドとプリント基板２１０の接続電極との電気的接続がなされない部分が発生するおそれがある。したがって、ショートを発生せずに、表示パネル１００のパッドとプリント基板２１０の接続電極との間に電気的接続が正常になされるようにするためには、導電粒子３３０が規則性を持つように配列されることが理想的であり、特に導電粒子３３０間の間隔を一定にすることが最も理想的である。一実施形態に係る表示装置１の場合は、異方性導電フィルム３００の導電粒子３３０が二つの正三角形を組み合わせた形状の菱形ＤＭの各頂点に位置するので、ショート不良や、通電がなされない不良が発生することを防止することができる。
【００７３】
ただし、仮想の四角形ＤＭの形状が、上述した菱形の形状に限定されるものではない。異方性導電フィルム３００に圧力をかける過程で、導電粒子３３０の配列は一部変更されてもよい。この場合、仮想の四角形ＤＭの形状は、第１辺Ｓ１、第２辺Ｓ２、第３辺Ｓ３及び第４辺Ｓ４の長さと同一の値ｒを持つが、第１対角線ＳＬの長さは、第１辺Ｓ１などの長さと異なる値を持つ菱形の形状であってもよい。または、仮想の四角形ＤＭは、平行四辺形の形状であってもよく、菱形及び平行四辺形以外の形状であってもよい。すなわち、場合によっては、仮想の四角形ＤＭは、第１対角線ＳＬの長さが第２対角線ＬＬの長さよりも短い限度内で変形してもよい。
【００７４】
仮想の四角形ＤＭの第２対角線ＬＬは、Ｙ軸、またはＹ軸と平行な基準線ＣＬに対して傾くことができる。幾つかの実施形態において、第２対角線ＬＬとＹ軸または基準線ＣＬとがなす鋭角は第７角度ｂ１であり、第７角度ｂ１は０°より大きく１５°以下であり得る。
【００７５】
導電粒子３３０の配列と第１パッドＰＤ１２との関係を考察すると、図８に示すように、仮想の四角形ＤＭの第２対角線ＬＬとＹ軸（または基準線ＣＬ）とがなす第７角度ｂ１は、第１パッドＰＤ１２の側辺Ｅ１２とＹ軸（または基準線ＣＬ）とがなす第２角度ａ１２よりも小さくてもよい。
【００７６】
上述したように、幾つかの実施形態において、鋭角である第２角度ａ１２は５°より大きく２０°以下であり、鋭角である第７角度ｂ１は０°より大きく１５°以下であり得る。そして、上述した第２角度ａ１２の範囲及び第７角度ｂ１の範囲の両方を満足し、且つ、第７角度ｂ１は第２角度ａ１２よりも小さくてもよい。
【００７７】
仮想の四角形ＤＭの各第１辺Ｓ１、第２辺Ｓ２、第３辺Ｓ３及び第４辺Ｓ４は、Ｙ軸と平行でなくてもよく、また、第１パッドＰＤ１２の側辺Ｅ１２と平行でなくてもよい。つまり、仮想の四角形ＤＭは、Ｙ軸と平行な辺を含まなくてもよく、第１パッドＰＤ１２の側辺Ｅ１２と平行な辺を含まなくてもよい。
【００７８】
仮想の四角形ＤＭが、二つの正三角形を組み合わせた菱形である場合を仮定するとき、第７角度ｂ１の合計と第２角度ａ１２の合計が３０°である場合、仮想の四角形ＤＭの一辺は、第１パッドＰＤ１２の側辺Ｅ１２と平行になる。したがって、これを防止するために、仮想の四角形ＤＭが、二つの正三角形を組み合わせた菱形である場合、第２角度ａ１２は５°より大きく２０°以下であり、鋭角である第７角度ｂ１は０°より大きく１５°以下であり、第７角度ｂ１は第２角度ａ１２よりも小さく、且つ第７角度ｂ１の合計と第２角度ａ１２の合計は３０°未満であってもよい。
【００７９】
第１パッドＰＤ１２は、上述したように、Ｙ軸に対して傾いた形状を持つ。このような場合、導電粒子３３０の配置に応じて、第１パッドＰＤ１２上に配置される導電粒子３３０の数が変化することができる。特に、第１パッドＰＤ１２の側辺Ｅ１２とＹ軸とがなす角度が５°を超える場合、導電粒子３３０の配置は、第１パッドＰＤ１２上に配置される導電粒子３３０の個数にさらに大きい影響を及ぼすことができる。
【００８０】
第１パッドＰＤ１２上に配置される導電粒子３３０の個数が多いほど、第１パッドＰＤ１２と第１特定接続パッドＣＮ１２との間において安定的に導通させることができる。また、第１パッドＰＤ１２上に配置される導電粒子３３０の個数が多いほど、第１パッドＰＤ１２上に配置されない導電粒子３３０の個数が減少するので、導電粒子３３０によって隣接するパッド間のショートが発生する可能性が減少する。
【００８１】
一実施形態に係る場合、仮想の四角形ＤＭの第２対角線ＬＬとＹ軸（または基準線ＣＬ）とがなす第７角度ｂ１が、第１パッドＰＤ１２の側辺Ｅ１２とＹ軸（または基準線ＣＬ）とがなす第２角度ａ１２よりも小さい場合、第１パッドＰＤ１２と重畳する導電粒子３３０の個数が増加する。これにより、第１パッドＰＤ１２と第１接続電極ＣＮ１２間の通電信頼性が向上するとともに、隣接するパッド間においてショートが発生する可能性を下げることができる。
【００８２】
例示的に一実施形態による場合、図８に示されているように第１パッドＰＤ１２と重畳する導電粒子３３０の個数は約８個である。
【００８３】
図９を参照すると、比較例１による表示装置は、第７角度ｂ１と第２角度ａ１２とが実質的に同一である場合を例示する。比較例１による場合、第１パッドＰＤ１２と重畳する導電粒子３３０の個数は約６個であることを確認することができる。
【００８４】
図１０を参照すると、比較例２による表示装置は、第７角度ｂ１が第２角度ａ１２よりも大きい場合を例示し、特に仮想の四角形ＤＭの一辺が第１パッドＰＤ１２の側辺Ｅ１２と平行である場合を例示する。比較例２による場合、第１パッドＰＤ１２と重畳する導電粒子３３０の個数は約５個であることを確認することができる。
【００８５】
つまり、第１パッドＰＤ１２と重畳する導電粒子３３０の個数は、一実施形態に係る表示装置１が比較例１及び比較例２に比べてより多いことを確認することができ、結果的に、実施形態に係る表示装置１は、通電信頼性が向上するという利点を持つ。
【００８６】
また、第１パッドＰＤ１２と重畳する導電粒子３３０の個数が増加するほど、相対的に第１パッドＰＤ１２と重畳しない導電粒子３３０の個数が減少するので、一実施形態に係る表示装置１は、比較例１と比較例２に比べてショート不良発生可能性が低いという利点を持つ。
【００８７】
図１１は図８の第１特定パッドを示す平面図、図１２は図８の第１特定パッドと対応する第１特定接続電極を示す平面図である。
【００８８】
図１１及び図１２を参照すると、第１パッドＰＤ１２は、重畳する複数の導電粒子３３０と対応する複数のパッド凹部ＰＣＶを含む。また、第１パッドＰＤ１２と対応する第１接続電極ＣＮ１２は、各パッド凹部ＰＣＶと対応する複数の電極凹部ＣＣＶを含む。パッド凹部ＰＣＶの配置は、第１パッドＰＤ１２と重畳する導電粒子３３０の配置と実質的に同一であり得る。したがって、導電粒子３３０と同様に、仮想の四角形ＤＭの頂点のうち、第１パッドＰＤ１２と重畳する頂点には、パッド凹部ＰＣＶが位置することができる。
【００８９】
仮想の四角形ＤＭの第２対角線ＬＬとＹ軸とがなす鋭角は、導電粒子３３０と同様に第７角度ｂ１であり、第７角度ｂ１は、第１パッドＰＤ１２の側辺Ｅ１２とＹ軸（または基準線ＣＬ）とがなす第２角度ａ１２よりも小さくてもよい。幾つかの実施形態において、鋭角である第２角度ａ１２は５°より大きく２０°以下であり、鋭角である第７角度ｂ１は０°より大きく１５°以下であり得る。そして、上述した第２角度ａ１２の範囲及び第７角度ｂ１の範囲をすべて満足し、かつ、第７角度ｂ１は第２角度ａ１２よりも小さくてもよい。その他パッド凹部ＰＣＶの配置についての説明、パッド凹部ＰＣＶの配置と第１パッドＰＤ１２の側辺Ｅ１２との関係などは、導電粒子３３０の説明で上述したものと同様なので省略する。
【００９０】
同様に、電極凹部ＣＣＶの配置は、第１接続電極ＣＮ１２と重畳する導電粒子３３０の配置またはパッド凹部ＰＣＶの配置と実質的に同一であり得る。その他、第１接続電極ＣＮ１２の側辺Ｅ１２ａとＹ軸とがなす鋭角は、第２角度ａ１２と実質的に同一であり、第１接続電極ＣＮ１２の形状は、第１パッドＰＤ１２と実質的に同一であり得る。したがって、電極凹部ＣＣＶと第１接続電極ＣＮ１２との関係は、導電粒子３３０の説明で上述したものと同様なので省略する。
【００９１】
以下、図１３乃至図１５を参照して、表示領域ＤＡにおける表示装置１の構造、特に表示領域ＤＡにおける表示パネル１００の構造について、より具体的に説明する。
【００９２】
図１３は、図１に示された一画素の例示的な等価回路図、図１４は図１３に示された等価回路図を有する画素の例示的平面図、図１５は図１４のＡ２−Ａ２’線に沿った断面図ある。
【００９３】
図１３乃至図１５を参照すると、表示装置の一画素ＰＸは、図１３に示すように、複数の信号線１２１、１７１、１７２、複数の信号線１２１、１７１、１７２に接続されている複数のトランジスタＴ１、Ｔ２、ストレージキャパシタＣｓｔ、及び有機発光素子ＯＬＥＤを含むことができる。
【００９４】
トランジスタＴ１、Ｔ２は、スイッチングトランジスタＴ１及び駆動トランジスタＴ２を含む。
【００９５】
信号線１２１、１７１、１７２は、ゲート信号（Ｓｎ、「スキャン信号」ともいう。）を伝達する複数のゲート線１２１と、ゲート線１２１と交差し、データ信号Ｄｍを伝達する複数のデータ線１７１と、駆動電圧ＥＬＶＤＤを伝達し、データ線１７１と並んだ方向に延びている複数の駆動電圧線１７２とを含む。図１２にはゲート線１２１、データ線１７１及び駆動電圧線１７２がそれぞれ一つずつ示されているが、これは一画素と連結されている一つのゲート線１２１、１つのデータ線１７１及び一つの駆動電圧線１７２を示すものであり、実際には複数のゲート線１２１、複数のデータ線１７１及び複数の駆動電圧線１７２が形成される。幾つかの実施形態において、複数のゲート線１２１は、Ｘ軸と並んだ方向に延びることができ、複数のデータ線１７１及び複数の駆動電圧線１７２は、Ｙ軸と並んだ方向に延びることができる。
【００９６】
スイッチングトランジスタＴ１は、制御端子、入力端子及び出力端子を持っている。スイッチングトランジスタＴ１における、制御端子はゲート線１２１に接続されており、入力端子はデータ線１７１に接続されており、出力端子は駆動トランジスタＴ２に接続されている。スイッチングトランジスタＴ１は、ゲート線１２１に印加されるゲート信号Ｓｎに応答して、データ線１７１に印加されるデータ信号Ｄｍを駆動トランジスタＴ２へ伝達する。
【００９７】
駆動トランジスタＴ２も、制御端子、入力端子及び出力端子を持っている。駆動トランジスタＴ２における、制御端子はスイッチングトランジスタＴ１に接続されており、入力端子は駆動電圧線１７２に接続されており、出力端子は有機発光素子ＯＬＥＤに接続されている。駆動トランジスタＴ２は、制御端子と出力端子との間にかかる電圧に応じてその大きさが変わる駆動電流Ｉｄを流す。
【００９８】
ストレージキャパシタＣｓｔは、駆動トランジスタＴ２の制御端子と入力端子との間に接続されている。ストレージキャパシタＣｓｔは、駆動トランジスタＴ２の制御端子に印加されるデータ信号を充電し、スイッチングトランジスタＴ１がターンオフ（ｔｕｒｎ  ｏｆｆ）された後にもこれを維持する。
【００９９】
有機発光素子ＯＬＥＤは、駆動トランジスタＴ２の出力端子に接続されているアノード（ａｎｏｄｅ）と、共通電圧ＥＬＶＳＳに接続されているカソード（ｃａｔｈｏｄｅ）とを有する。有機発光素子ＯＬＥＤは、駆動トランジスタＴ２の駆動電流Ｉｄの大きさに応じて強さを変えて発光する。各画素に有機発光ダイオードＯＬＥＤの発光強度を調節して各画素の輝度を調節することにより、映像を表示する。
【０１００】
トランジスタＴ１、Ｔ２、ストレージキャパシタＣｓｔ及び有機発光素子ＯＬＥＤの接続関係は、前述したところに限定されず、多様に変更できる。
【０１０１】
図１４及び図１５を参照すると、ベース基板１１０上には表示素子層ＤＳＬが位置する。
【０１０２】
以下、表示素子層ＤＳＬの構造について説明する。
【０１０３】
ベース基板１１０上にバッファ層１２０が位置し、バッファ層１２０上には半導体層１３０が形成されている。半導体層１３０は、互いに離隔した位置に形成されたスイッチング半導体層１３５ａ及び駆動半導体層１３５ｂを含む。半導体層１３０は、多結晶シリコン物質または酸化物半導体物質で構成できる。
【０１０４】
スイッチング半導体層１３５ａ及び駆動半導体層１３５ｂは、それぞれチャネル１３５５と、チャネル１３５５の両側にそれぞれ位置するソース領域１３５６及びドレイン領域１３５７を含む。
【０１０５】
スイッチング半導体層１３５ａ及び駆動半導体層１３５ｂ上にはゲート絶縁膜１４０が位置し、ゲート絶縁膜１４０上にはゲート線１２１、スイッチングゲート電極１２５ａ、駆動ゲート電極１２５ｂ及び第１ストレージ電極１２８が位置することができる。
【０１０６】
ゲート線１２１は、Ｘ軸に沿って長く延びてゲート信号Ｓｎを伝達することができる。スイッチングゲート電極１２５ａは、ゲート線１２１からスイッチング半導体層１３５ａ上に突出している。駆動ゲート電極１２５ｂは、第１ストレージ電極１２８から駆動半導体層１３５ｂ上に突出している。スイッチングゲート電極１２５ａ及び駆動ゲート電極１２５ｂは、それぞれチャネル１３５５と重畳する。
【０１０７】
ゲート絶縁膜１４０上には、ゲート線１２１の端部と接続されているゲートパッド１２９が位置する。ゲートパッド１２９は表示パネル１００の非表示領域ＮＡに位置する。
【０１０８】
ゲート絶縁膜１４０、ゲート線１２１、駆動ゲート電極１２５ｂ及び第１ストレージ電極１２８の上には層間絶縁膜１６０が位置し、ゲート絶縁膜１４０及び層間絶縁膜１６０には、半導体層１３０の上面の少なくとも一部を露出させるコンタクトホール６１、６２が形成されている。コンタクトホール６１、６２は、特に半導体層１３０のソース領域１３５６及びドレイン領域１３５７を露出させることができる。また、層間絶縁膜１６０には、第１ストレージ電極１２８の一部と重畳するストレージコンタクトホール６３が形成される。
【０１０９】
層間絶縁膜１６０上にはデータ線１７１、駆動電圧線１７２、スイッチングソース電極１７６ａ、駆動ソース電極１７６ｂ、第２ストレージ電極１７８、スイッチングドレイン電極１７７ａ及び駆動ドレイン電極１７７ｂが位置することができる。
【０１１０】
データ線１７１は、データ信号Ｄｍを伝達し、ゲート線１２１と交差し、Ｙ軸の延長方向に沿って延びている。駆動電圧線１７２は、駆動電圧ＥＬＶＤＤを伝達し、データ線１７１と分離されて並んだ方向に延びている。
【０１１１】
スイッチングソース電極１７６ａは、データ線１７１からスイッチング半導体層１３５ａに向けて突出しており、駆動ソース電極１７６ｂは、駆動電圧線１７２から駆動半導体層１３５ｂに向けて突出している。スイッチングソース電極１７６ａと駆動ソース電極１７６ｂは、それぞれコンタクトホール６１を介してソース領域１３５５と接続されている。
【０１１２】
スイッチングドレイン電極１７７ａ及び駆動ドレイン電極１７７ｂは、それぞれコンタクトホール６２を介してドレイン領域１３５７に接続されている。
【０１１３】
スイッチングドレイン電極１７７ａは、延びて、層間絶縁膜１６０に形成されたストレージコンタクトホール６３を介して第１ストレージ電極１２８及び駆動ゲート電極１２５ｂと電気的に接続できる。
【０１１４】
第２ストレージ電極１７８は、駆動電圧線１７２から突出して第１ストレージ電極１２８と重畳することができ、第１ストレージ電極１２８と第２ストレージ電極１７８は、層間絶縁膜１６０を誘電体としてストレージキャパシタＣｓｔをなすことができる。
【０１１５】
スイッチング半導体層１３５ａ、スイッチングゲート電極１２５ａ、スイッチングソース電極１７６ａ及びスイッチングドレイン電極１７７ａは、スイッチングトランジスタＴ１をなし、駆動半導体層１３５ｂ、駆動ゲート電極１２５ｂ、駆動ソース電極１７６ｂ及び駆動ドレイン電極１７７ｂは、駆動トランジスタＴ２をなす。
【０１１６】
幾つかの実施形態において、データ線１７１は、表示パネル１００のパッド領域ＭＡに位置するパッドＰＤと電気的に接続できる。例示的に、データ線１７１の端部は、パッドＰＤと接続できるが、これに限定されるものではない。他の実施形態において、データ線１７１とパッドＰＤとは別の配線を介して互いに電気的に接続されてもよい。
【０１１７】
データ線１７１、駆動電圧線１７２、スイッチングソース電極１７６ａ、駆動ソース電極１７６ｂ、第２ストレージ電極１７８、スイッチングドレイン電極１７７ａ及び駆動ドレイン電極１７７ｂ上には保護膜１８０が形成されている。保護膜１８０には、駆動ドレイン電極１７７ｂの少なくとも一部を露出させるコンタクトホール８１が形成されている。
【０１１８】
保護膜１８０上には画素電極１９１が形成されている。画素電極１９１は、コンタクトホール８１を介して駆動トランジスタＴ２の駆動ドレイン電極１７７ｂと電気的に接続されており、有機発光素子ＯＬＥＤのアノード電極になる。
【０１１９】
保護膜１８０上には画素定義膜３５０が形成されている。画素定義膜３５０は、画素電極１９１と重畳する画素開口部３５１を有する。
【０１２０】
画素定義膜３５０の画素開口部３５１内には有機発光層３７０が位置することができる。有機発光層３７０は、発光層、正孔注入層ＨＩＬ、正孔輸送層ＨＴＬ、電子輸送層ＥＴＬ及び電子注入層ＥＩＬのうちの少なくとも１つを含む複数の層からなることができる。有機発光層３７０がこれらのすべてを含む場合、正孔注入層がアノード電極としての画素電極１９１上に位置し、その上に正孔輸送層、発光層、電子輸送層、電子注入層が順次積層される。
【０１２１】
幾つかの実施形態において、有機発光層３７０は、赤色を発光する赤色有機発光層、緑色を発光する緑色有機発光層、及び青色を発光する青色有機発光層のいずれかを含むことができ、赤色有機発光層、緑色有機発光層及び青色有機発光層は、それぞれ赤色画素、緑色画素及び青色画素に形成されてカラー画像を実現する。
【０１２２】
画素定義膜３５０及び有機発光層３７０上には共通電極２７０が位置する。有機発光素子ＯＬＥＤのカソード電極となる。画素電極１９１、有機発光層３７０及び共通電極２７０は、有機発光素子ＯＬＥＤをなす。
【０１２３】
以上、本発明の一実施形態に係る表示装置が有機発光表示装置から構成された場合について説明した。
【０１２４】
ただし、本発明はこれに限定されず、本発明の一実施形態に係る表示装置は、有機発光表示装置ではない表示装置から構成でき、例えば、液晶表示装置などから構成されてもよい。
【０１２５】
図１６及び図１７は他の実施形態に係る表示装置における表示パネルとプリント基板とのボンディング過程を示す平面図である。
【０１２６】
図１６及び図１７を参照すると、本実施形態に係る表示装置２は、表示パネル１００ａ、表示パネル１００ａに実装されたチップタイプのデータ駆動回路ＩＣ、及びプリント基板２１０を含む。
【０１２７】
表示パネル１００ａは、パッド領域ＭＡにチップタイプのデータ駆動回路ＩＣと電気的に接続される第１チップパッド部ＰＤＢ１及び第２チップパッド部ＰＤＢ２を含むという点で、図１及び図２に示した表示装置１の表示パネル１００との相違点が存在し、それ以外の構成は、実質的に同一または類似である。よって、重複する内容は省略する。
【０１２８】
第１チップパッド部ＰＤＢ１は、データ駆動回路ＩＣ及び表示素子部ＤＳＬのデータ線と電気的に接続され、データ駆動回路ＩＣから提供される駆動信号を表示素子部ＤＳＬの画素ＰＸに伝達する。幾つかの実施形態において、第１チップパッド部ＰＤＢ１は、複数の第１チップパッドＰＤａを含むことができ、第１チップパッドＰＤａの一部は、パッド部ＰＤＡのパッドＰＤと同様に、Ｙ軸に対して傾いた形状を有することができる。
【０１２９】
第２チップパッド部ＰＤＢ２は、データ駆動回路ＩＣとパッド部ＰＤＡとを電気的に接続する部分であって、プリント基板２１０と電気的に接続されたメイン回路ボードなどから提供される制御信号または電源をデータ駆動回路ＩＣへ伝達する。幾つかの実施形態において、第２チップパッド部ＰＤＢ２は、複数の第２チップパッドＰＤｂを含むことができ、第２チップパッドＰＤｂの一部は、パッド部ＰＤＡのパッドＰＤと同様に、Ｙ軸に対して傾いた形状を有することができる。
【０１３０】
データ駆動回路ＩＣは、表示パネル１００ａと向かい合う面、すなわち背面に第１回路パッド部ＩＡ１及び第２回路パッド部ＩＡ２を備えることができる。
【０１３１】
第１回路パッド部ＩＡ１は第１チップパッド部ＰＤＢ１と電気的に接続され、第２回路パッド部ＩＡ２は第２チップパッド部ＰＤＢ２と電気的に接続され得る。
【０１３２】
第１回路パッド部ＩＡ１は複数の第１回路パッドＩＣＮ１を含むことができ、第１回路パッドＩＣＮ１は第１チップパッドＰＤａと対応する形状からなることができる。
【０１３３】
第２回路パッド部ＩＡ２は複数の第２回路パッドＩＣＮ２を含むことができ、第２回路パッドＩＣＮ２は第２チップパッドＰＤｂと対応する形状からなることができる。
【０１３４】
表示パネル１００ａとチップタイプのデータ駆動回路ＩＣとの間には異方性導電フィルム３００ａが配置され、異方性導電フィルム３００ａを介して表示パネル１００とデータ駆動回路ＩＣとは物理的／電気的に接続できる。
【０１３５】
つまり、幾つかの実施形態において、表示パネル１００ａのベース基板１１０がガラスからなる場合には、データ駆動回路ＩＣは、ＣＯＧ（ｃｈｉｐ  ｏｎ  ｇｌａｓｓ）形態で表示パネル１００ａに実装でき、表示パネル１００ａのベース基板１１０がプラスチックなどからなる場合には、データ駆動回路ＩＣは、ＣＯＰ（ｃｈｉｐ  ｏｎ  ｐｌａｓｔｉｃ）形態で表示パネル１００ａに実装できる。
【０１３６】
異方性導電フィルム３００ａは、異方性導電フィルム３００と実質的に同一の構造で構成できる。例えば、異方性導電フィルム３００ａは、絶縁層、及びその中に位置する複数の導電粒子を含むことができ、異方性導電フィルム３００ａ内の導電粒子は、異方性導電フィルム３００の導電粒子３３０と同一の形態で配列できる。
【０１３７】
第１回路パッドＩＣＮ１と第１チップパッドＰＤａとは、異方性導電フィルム３００ａの導電粒子を介して互いに電気的に接続され、同様に、第２回路パッドＩＣＮ２と第２チップパッドＰＤｂとは、異方性導電フィルム３００ａの導電粒子を介して互いに電気的に接続され得る。
【０１３８】
異方性導電フィルム３００ａ内の導電粒子の配列と第１チップパッドＰＤａの傾斜角度との関係、異方性導電フィルム３００ａ内の導電粒子の配列と第２チップパッドＰＤｂの傾斜角度との関係などは、上述した異方性導電フィルム３００の導電粒子３３０の配列と第１パッドＰＤ１２との関係と実質的に同一または類似であり得る。
【０１３９】
以上で本発明の実施形態を中心に説明したが、これは例示に過ぎず、本発明を限定するものではなく、本発明の属する分野における通常の知識を有する者であれば、本発明の実施形態の本質的な特性を逸脱しない範囲内において、以上に例示されていない幾つかの変形及び応用が可能であることが分かるだろう。例えば、本発明の実施形態に具体的に示されている各構成要素は変形実施することができる。それらの変形及び応用に関わる相違点は、添付された特許請求の範囲で規定する本発明の範囲に含まれるものと解釈されるべきである。
【符号の説明】
【０１４０】
１・・・表示装置、２・・・表示装置、６１・・・コンタクトホール、６２・・・コンタクトホール、６３・・・ストレージコンタクトホール、８１・・・コンタクトホール、１００・・・表示パネル、１００ａ・・・表示パネル、１１０・・・ベース基板、１２０・・・バッファ層、１２１・・・信号線、１２１・・・ゲート線、１２５ａ・・・スイッチングゲート電極、１２５ｂ・・・駆動ゲート電極、１２８・・・第１ストレージ電極、１２９・・・ゲートパッド、１３０・・・半導体層、１３５ａ・・・スイッチング半導体層、１３５ｂ・・・駆動半導体層、１４０・・・ゲート絶縁膜、１６０・・・層間絶縁膜、１７１・・・データ線、１７２・・・駆動電圧線、１７６ａ・・・スイッチングソース電極、１７６ｂ・・・駆動ソース電極、１７７ａ・・・スイッチングドレイン電極、１７７ｂ・・・駆動ドレイン電極、１７８・・・第２ストレージ電極、１８０・・・保護膜、１９１・・・画素電極、２１０・・・プリント基板、２７０・・・共通電極、３００・・・異方性導電フィルム、３００ａ・・・異方性導電フィルム、３１０・・・絶縁層、３３０・・・導電粒子、３５０・・・画素定義膜、３５１・・・画素開口部、３７０・・・有機発光層、１３５５・・・チャネル、１３５５・・・ソース領域、１３５６・・・ソース領域、１３５７・・・ドレイン領域
【図１】
2019185030.tif 000003
【図２】
2019185030.tif 000004
【図３】
2019185030.tif 000005
【図４】
2019185030.tif 000006
【図５】
2019185030.tif 000007
【図６】
2019185030.tif 000008
【図７】
2019185030.tif 000009
【図８】
2019185030.tif 000010
【図９】
2019185030.tif 000011
【図１０】
2019185030.tif 000012
【図１１】
2019185030.tif 000013
【図１２】
2019185030.tif 000014
【図１３】
2019185030.tif 000015
【図１４】
2019185030.tif 000016
【図１５】
2019185030.tif 000017
【図１６】
2019185030.tif 000018
【図１７】
2019185030.tif 000019